(57)【要約】  【課題】装置本体内部に収納されている取っ手の予期せぬ飛び出しを防止して不具合の発生を防止することが可能な画像形成装置を提供する。  【解決手段】装置本体２に設けられ、装置本体２に収納される収納位置と装置本体２より突出する突出位置との間で移動自在であり、突出位置を占めた際に把持される取っ手８を有する画像形成装置１において、装置本体２が開閉自在なカバー７を有し、取っ手８が収納位置を占めた状態でカバー７が閉じられた際に取っ手８が収納位置に保持される構成とした。【選択図】図６
2008107461.tif 000002
【特許請求の範囲】
【請求項１】
装置本体に設けられ、前記装置本体に収納される収納位置と前記装置本体より突出する突出位置との間で移動自在であり、前記突出位置を占めた際に把持される取っ手を有する画像形成装置において、
前記装置本体が、開閉自在なカバーと、前記カバーに設けられ前記カバーが閉じられたときに前記取っ手の移動経路内に突出する凸部とを有し、前記取っ手が前記収納位置を占めた状態で前記カバーが閉じられた際に前記凸部によって前記取っ手が前記収納位置で維持されることを特徴とする画像形成装置。
【請求項２】
請求項１記載の画像形成装置において、
前記取っ手が前記突出位置を占めた状態で前記カバーが閉じられた際に前記凸部によって前記取っ手が突出位置で維持されることを特徴とする画像形成装置。
【請求項３】
請求項１または２記載の画像形成装置において、
前記取っ手は前記収納位置または前記突出位置を占めた際に前記取っ手の移動経路内に突出した前記凸部に係合する係合部を有することを特徴とする画像形成装置。
【請求項４】
請求項３記載の画像形成装置において、
前記係合部は前記凸部の移動経路内に突出した突出片であることを特徴とする画像形成装置。
【請求項５】
請求項４記載の画像形成装置において、
前記突出片が前記取っ手に対して着脱自在であることを特徴とする画像形成装置。
【請求項６】
請求項３記載の画像形成装置において、
前記係合部は前記凸部が嵌合可能な孔部であることを特徴とする画像形成装置。
【請求項７】
請求項１ないし６の何れか１つに記載の画像形成装置において、
前記カバーは前記取っ手が前記収納位置または前記突出位置の何れかを占めた状態においてのみ閉じることが可能に構成されていることを特徴とする画像形成装置。
【請求項８】
請求項１ないし７の何れか１つに記載の画像形成装置において、
前記凸部が前記カバーに対して着脱可能であることを特徴とする画像形成装置。
【請求項９】
請求項１ないし８の何れか１つに記載の画像形成装置において、
前記カバーが開放された際にこれを検知するセンサを有し、前記凸部は前記センサの検知片を兼用することを特徴とする画像形成装置。
【請求項１０】
請求項１記載の画像形成装置において、
前記凸部は前記カバーが閉じられた際に前記取っ手が前記装置本体より突出する開口を閉じる閉塞部であることを特徴とする画像形成装置。
【請求項１１】
請求項１０記載の画像形成装置において、
前記閉塞部が前記カバーに対して着脱可能であることを特徴とする画像形成装置。
【請求項１２】
請求項１ないし１１の何れか１つに記載の画像形成装置において、
インタロックスイッチを有し、前記カバーは前記インタロックスイッチにより検知される検知片を有することを特徴とする画像形成装置。
【発明の詳細な説明】
【技術分野】
【０００１】
本発明は、電子写真式複写装置、プリンタ、ファクシミリ、複合機等の画像形成装置に関し、詳しくは装置本体を運搬する際に用いられる取っ手の構造に関する。
【背景技術】
【０００２】
複写装置、プリンタ、ファクシミリ、複合機等の画像形成装置において、装置本体を運搬する際の作業性を向上させるため、装置本体に取っ手を備えたものが知られている。この取っ手は装置本体を運搬する際には装置本体より突出して使用されるが、画像形成動作時においては使用されずに装置本体から突出していると邪魔であるため、取っ手を装置本体に対して出没自在とした構成が、例えば「特許文献１」または「特許文献２」に記載されている。
【０００３】
【特許文献１】特開２００４−３５７０６４号公報
【特許文献２】特開２００５−９１９４６号公報
【発明の開示】
【発明が解決しようとする課題】
【０００４】
しかし上述した構成では、装置使用者が装置本体にぶつかったとき等の、装置本体に対して衝撃を与えてしまった場合等に、装置本体内部に収納されていた取っ手が使用者の意図に反して飛び出し、飛び出した取っ手が使用者に接触したり他の機器に接触したりしてしまうという問題点がある。
【０００５】
本発明は上述の問題点を解決し、装置本体内部に収納されている取っ手の予期せぬ飛び出しを防止して不具合の発生を防止することが可能な画像形成装置の提供を目的とする。
【課題を解決するための手段】
【０００６】
請求項１記載の発明は、装置本体に設けられ、前記装置本体に収納される収納位置と前記装置本体より突出する突出位置との間で移動自在であり、前記突出位置を占めた際に把持される取っ手を有する画像形成装置において、前記装置本体が、開閉自在なカバーと、前記カバーに設けられ前記カバーが閉じられたときに前記取っ手の移動経路内に突出する凸部とを有し、前記取っ手が前記収納位置を占めた状態で前記カバーが閉じられた際に前記凸部によって前記取っ手が前記収納位置で維持されることを特徴とする。
【０００７】
請求項２記載の発明は、請求項１記載の画像形成装置において、さらに前記取っ手が前記突出位置を占めた状態で前記カバーが閉じられた際に前記凸部によって前記取っ手が突出位置で維持されることを特徴とする。
【０００８】
請求項３記載の発明は、請求項１または２記載の画像形成装置において、さらに前記取っ手は前記収納位置または前記突出位置を占めた際に前記取っ手の移動経路内に突出した前記凸部に係合する係合部を有することを特徴とする。
【０００９】
請求項４記載の発明は、請求項３記載の画像形成装置において、さらに前記係合部は前記凸部の移動経路内に突出した突出片であることを特徴とする。
【００１０】
請求項５記載の発明は、請求項４記載の画像形成装置において、さらに前記突出片が前記取っ手に対して着脱自在であることを特徴とする。
【００１１】
請求項６記載の発明は、請求項３記載の画像形成装置において、さらに前記係合部は前記凸部が嵌合可能な孔部であることを特徴とする。
【００１２】
請求項７記載の発明は、請求項１ないし６の何れか１つに記載の画像形成装置において、さらに前記カバーは前記取っ手が前記収納位置または前記突出位置の何れかを占めた状態においてのみ閉じることが可能に構成されていることを特徴とする。
【００１３】
請求項８記載の発明は、請求項１ないし７の何れか１つに記載の画像形成装置において、さらに前記凸部が前記カバーに対して着脱可能であることを特徴とする。
【００１４】
請求項９記載の発明は、請求項１ないし８の何れか１つに記載の画像形成装置において、さらに前記カバーが開放された際にこれを検知するセンサを有し、前記凸部は前記センサの検知片を兼用することを特徴とする。
【００１５】
請求項１０記載の発明は、請求項１記載の画像形成装置において、さらに前記凸部は前記カバーが閉じられた際に前記取っ手が前記装置本体より突出する開口を閉じる閉塞部であることを特徴とする。
【００１６】
請求項１１記載の発明は、請求項１０記載の画像形成装置において、さらに前記閉塞部が前記カバーに対して着脱可能であることを特徴とする。
【００１７】
請求項１２記載の発明は、請求項１ないし１１の何れか１つに記載の画像形成装置において、さらにインタロックスイッチを有し、前記カバーは前記インタロックスイッチにより検知される検知片を有することを特徴とする。
【発明の効果】
【００１８】
本発明によれば、取っ手が収納位置を占めた際にカバーが閉じられることにより凸部が突出片の移動方向前側端部の前方に位置するので、取っ手を引き出そうとしても突出片が凸部に衝突して取っ手の引き出しが禁止され、取っ手が収納位置に保持されるので取っ手の予期せぬ飛び出しを防止して衝突や接触といった不具合の発生を防止することができる。
【発明を実施するための最良の形態】
【００１９】
図１は、本発明の第１の実施形態を採用した画像形成装置としての電子写真式複写装置を示している。同図において画像形成装置１は、その装置本体２の上部に原稿読取装置３及び操作パネル４を、最下部に給紙部５をそれぞれ有しており、給紙部５の上方には像担持体、現像装置、転写装置、定着装置等の周知の構成を有する画像形成部６（図２参照）が配置されている。
【００２０】
装置本体２の、画像形成部前面に位置する部位には開閉自在なカバー７が設けられており、図２に示すようにカバー７を開放することによって画像形成部６等のメンテナンスを行うことが可能に構成されている。装置本体２の側面であって給紙部５の上方に位置する部位には、画像形成装置１を移動させる際に把持される取っ手８が配設されている。取っ手８は装置本体２の側面に穿設された孔にその先端部が没入して装置本体２の側面から突出しない図１に示す収納位置と、前記孔から突出して把持される図３に示す突出位置との間で移動自在に構成されており、作業者によって任意に移動される。取っ手８は図示しないストッパにより、収納位置からの装置本体２内部側への移動及び突出位置からの突出側への移動が規制されている。なお図１ないし図３では示されていないが、装置本体２の他方の側面にも同様に取っ手８が配設されている。
【００２１】
カバー７には、図２及び図３に示すように凸部９が一体的に突出形成されており、この凸部９はカバー７が閉じられた際に装置本体２に形成された穴を介して取っ手８の移動経路内に没入する。一方、図４に示すように取っ手８には、カバー７の開閉に伴う凸部９の移動経路内に突出する突出片１０が一体形成されている。突出片１０は、図５に示すように取っ手８が収納位置を占めた場合、及び図６に示すように取っ手８が突出位置を占めた場合においてのみ、カバー７が閉じられた際に凸部９と干渉しない形状に形成されている。
【００２２】
上述の構成により、取っ手８が収納位置を占めた際にカバー７が閉じられることにより凸部９が突出片１０の移動方向前側端部の前方に位置するので、取っ手８を引き出そうとしても突出片１０が凸部９に衝突して取っ手８の引き出しが禁止され、取っ手８の予期せぬ飛び出しを防止して衝突や接触といった不具合の発生を防止することができる。また、取っ手８のみを操作しても取っ手８を移動させることはできず、カバー７を開かなければ取っ手８を移動することができない構成であるので、構成を知らない部外者がむやみに取っ手８を引き出して画像形成装置１を移動させるといったことを防止できる。さらに、取っ手８が突出位置を占めた際にカバー７が閉じられることにより凸部９が突出片１０の移動方向後側端部の後方に位置するので、取っ手８の装置本体２内部への収納が禁止され、取っ手８を把持して画像形成装置１を移動している際に取っ手８が移動することによる不具合の発生を防止することができる。
【００２３】
上述の構成では取っ手８に突出片１０を一体形成する構成としたが、この実施形態の変形例として図７に示すようにクリップ状に形成された突出片１０を取っ手８に着脱自在に取り付ける構成、図８に示すように取っ手８に形成された溝部に突出片１０を着脱自在に取り付ける構成等を採用してもよい。このような構成とすることにより、取っ手８を他の部位に使用する際に突出片１０を最適な位置に取り付けることができると共に、従前の形状の取っ手の上に突出片１０を取り付けることができるので取っ手８の形状を共通化することができコストダウンを図ることができる。また、突出片１０が破損した際に突出片１０のみを交換することができ、コストダウン並びに作業性の向上を図ることができる。
【００２４】
図９及び図１０は、本発明の第２の実施形態に用いられる取っ手を示している。この第２の実施形態に用いられる取っ手１１は、第１の実施形態で示した取っ手８と比較すると、突出片１０に代えて２箇所の孔部１２，１３を有する点、カバー７の開閉に伴う凸部９の移動経路内に取っ手１１の移動経路が位置している点においてのみ相違しており、他の構成は同一である。
【００２５】
上述の構成により、図９に示すように取っ手１１が収納位置を占めた際にカバー７が閉じられることにより凸部９が孔部１２に嵌合するので、取っ手１１を引き出そうとしても孔部１２に嵌合した凸部９によって取っ手１１の引き出しが禁止され、取っ手１１の予期せぬ飛び出しを防止して衝突や接触といった不具合の発生を防止することができる。また、図１０に示すように取っ手１１が突出位置を占めた際にカバー７が閉じられることにより凸部９が孔部１３に嵌合するので、取っ手１１の装置本体２内部への収納が禁止され、取っ手１１を把持して画像形成装置１を移動している際に取っ手１１が移動することによる不具合の発生を防止することができる。なお、本実施形態では取っ手１１に凸部９が係合する部位の形状を孔部１２，１３としたが、孔部に代えて溝部としてもよい。
【００２６】
上述した第１の実施形態及び第２の実施形態では、取っ手８，１１が収納位置あるいは突出位置の何れかを占めた状態においてのみ、凸部９と突出片１０及び凸部９と孔部１２，１３とが係合することによりカバー７を閉じることが可能に構成されている。このような構成とすることにより、取っ手８，１１が収納位置と突出位置との間の不安定な位置を占めた状態でカバー７が閉じることが禁止され、取っ手８，１１が不安定な状態で把持されることを防止することができ、作業時の安全性を高めることができる。
【００２７】
上述した第１の実施形態及び第２の実施形態では、カバー７に凸部９を一体形成する構成としたが、カバー７に対して凸部９を着脱自在に構成してもよい。この構成とすることにより、凸部９が破損した際に凸部９のみを交換することができ、コストダウン並びに作業性の向上を図ることができると共に、一般的に樹脂により構成されるカバー７に対して凸部９をより強度の高い金属性とすることができ、耐久性を向上することができる。
【００２８】
上述した第１の実施形態及び第２の実施形態では、取っ手８，１１として断面コ字形状の部材を用いたが、取っ手８，１１の形状としてはこれに限られず、中空角パイプ状、中空丸パイプ状、角柱状、円柱状等、把持するのに適すると共に突出片１０あるいは孔部１２，１３を形成することが可能な形状であればどのような形状としてもよい。
【００２９】
上述した第１の実施形態及び第２の実施形態において、カバー７が閉じられた際にこれを検知するセンサを装置本体２の内部に設け、このセンサは凸部９を検知することによりカバー７が閉じられたことを検知して画像形成装置１の図示しない制御手段に信号を出力する構成としてもよい。この構成とすることにより、カバー７の開閉センサにより検知される検知片を新たに設ける必要がなく、構成を簡略化してコストダウンを図ることができる。
【００３０】
図１１ないし図１３は本発明の第３の実施形態を示している。この第３の実施形態は第１の実施形態と比較すると、カバーに代えてカバー１４を用いる点及び取っ手８に代えて取っ手１５を用いる点においてのみ相違しており、他の構成は同一である。
【００３１】
カバー１４には、図１１及び図１２に示すように閉塞部１６が一体的に突出形成されており、この閉塞部１６はカバー１４が閉じられた際に装置本体２に形成された取っ手１５が出没する開口１７を覆うように形成されている。取っ手１５は、コ字形状を呈する部材により形成されており、開口１７にその先端部が没入して装置本体２の側面から突出しない収納位置と、開口１７から突出して把持される突出位置との間で移動自在に構成され、作業者によって任意に移動される。取っ手１５は図示しないストッパにより、収納位置からの装置本体２内部側への移動及び突出位置からの突出側への移動が規制されている。なお図１１ないし図１３では示されていないが、装置本体２の他方の側面にも同様に取っ手１５が配設されている。
【００３２】
上述の構成により、取っ手１５が収納位置を占めた際にカバー１４が閉じられることにより閉塞部１６が開口１７を閉塞するので、取っ手１５の引き出しが禁止されて取っ手１５の予期せぬ飛び出しを防止して衝突や接触といった不具合の発生を防止することができる。
【００３３】
上述した第３の実施形態では、カバー１４に閉塞部１６を一体的に形成する構成としたが、カバー１４に対して閉塞部１６を着脱自在に構成してもよい。この構成とすることにより、閉塞部１６が破損した際に閉塞部１６のみを交換することができ、コストダウン並びに作業性の向上を図ることができると共に、一般的に樹脂により構成されるカバー１４に対して閉塞部１６をより強度の高い金属性とすることができ、耐久性を向上することができる。
【００３４】
上述した第１ないし第３の各実施形態において、カバー７，１４に凸部９あるいは閉塞部１６とは別に検知片を設け、装置本体２の内部にこの検知片を検知してカバー７，１４が閉じていることを検知してインタロックを解除するインタロックスイッチを配設する構成を採用してもよい。この構成とすることにより、凸部９あるいは閉塞部１６が破損したとしても検知片が破損しない限りカバー７，１４の開放を検知することができ、画像形成装置１の安全装置であるインタロックスイッチの機能を損ねることがない構成とすることができる。また、上記各実施形態において、取っ手８，１１，１５を装置本体２の内部から引き出す構成としては、上述したように手動により引き出す構成の他、ばね等の付勢手段の付勢力によって自動的に飛び出す構成等を採用してもよい。
【００３５】
上記各実施形態では、画像形成装置１として電子写真式複写装置を用いた例を示したが、本発明が適用可能な画像形成装置はこれに限られず、プリンタ、ファクシミリ、プロッタ、複合機等の、装置本体を搬送するために把持する取っ手及び装置本体の前面に開放自在に設けられたカバーを有する画像形成装置であればどのようなものにも適用可能である。
【図面の簡単な説明】
【００３６】
【図１】本発明の第１の実施形態を採用した画像形成装置の概略斜視図である。
【図２】本発明の第１の実施形態に用いられるカバー及び画像形成部を説明する概略斜視図である。
【図３】本発明の第１の実施形態に用いられるカバー及び取っ手を説明する概略斜視図である。
【図４】本発明の第１の実施形態に用いられる取っ手を示す概略斜視図である。
【図５】本発明の第１の実施形態における収納位置に保持された取っ手を示す概略図である。
【図６】本発明の第１の実施形態における突出位置に保持された取っ手を示す概略図である。
【図７】本発明の第１の実施形態の変形例に用いられる突出片を示す概略図である。
【図８】本発明の第１の実施形態の変形例に用いられる突出片を示す概略図である。
【図９】本発明の第２の実施形態における収納位置に保持された取っ手を示す概略図である。
【図１０】本発明の第２の実施形態における突出位置に保持された取っ手を示す概略図である。
【図１１】本発明の第３の実施形態に用いられるカバーを示す概略斜視図である。
【図１２】本発明の第３の実施形態に用いられるカバー及び開口を示す概略斜視図である。
【図１３】本発明の第３の実施形態における収納位置に保持された取っ手を示す概略図である。
【符号の説明】
【００３７】
１  画像形成装置
２  装置本体
７，１４  カバー
８，１１，１５  取っ手
９  凸部
１０  突出片
１２，１３  孔部
１６  閉塞部
１７  開口
【図１】
2008107461.tif 000003
【図２】
2008107461.tif 000004
【図３】
2008107461.tif 000005
【図４】
2008107461.tif 000006
【図５】
2008107461.tif 000007
【図６】
2008107461.tif 000008
【図７】
2008107461.tif 000009
【図８】
2008107461.tif 000010
【図９】
2008107461.tif 000011
【図１０】
2008107461.tif 000012
【図１１】
2008107461.tif 000013
【図１２】
2008107461.tif 000014
【図１３】
2008107461.tif 000015